(57)【要約】  【課題】ウェブブラウザ上などで商品が選択されたことを、消費者に明確に知覚できるようにし、また、その知覚をすることに面白みが発生するような商品グラフィックス選択装置を提供する。  【解決手段】ディスプレイの第一領域に商品を表象するグラフィックスである商品グラフィックスを表示しておき、商品グラフィックスが選択操作されると、選択操作された商品グラフィックスにより表象される商品を表象するグラフィックスである選択商品グラフィックスの表示を行なう。そのとき、第一領域から第二領域に商品グラフィックスが移動して選択商品グラフィックスとして表示される様子を表現する移動状態グラフィックスを表示する。【選択図】  図２
2006302152.tif 000002
【特許請求の範囲】
【請求項１】
ディスプレイと、
選択対象となる商品の商品識別情報を保存する商品識別情報保存部と、
前記商品識別情報に対応する商品を表象するグラフィックスである商品グラフィックスを前記ディスプレイの第一領域に表示するための商品グラフィックス表示部と、
前記ディスプレイ上にて、商品グラフィックスを選択操作させることで対応する商品識別情報を特定するためのグラフィックス選択部と、
前記特定された商品識別情報で識別される商品を表象するためのグラフィックスである選択商品グラフィックスを前記ディスプレイの第二領域に表示するための選択商品グラフィックス表示部と、
前記商品グラフィックスの選択操作に応じて、前記第一領域から前記第二領域に商品グラフィックスが移動して選択商品グラフィックスとして表示される様子を表現する移動状態グラフィックスを表示する移動状態グラフィックス表示部と、
を有する商品グラフィックス選択装置。
【請求項２】
前記選択商品グラフィックス表示部は、
前記選択操作が複数の商品に対して実行される場合には、前記第二領域に表示される選択商品グラフィックスが相互に完全に重なり合わないように表示する非重複表示手段を有する請求項１に記載の商品グラフィックス選択装置。
【請求項３】
前記グラフィックス選択部における選択操作により特定された商品識別情報に対応付けて商品の注文情報を保持する商品注文情報保持部と、
前記選択商品グラフィックス表示部により表示される選択商品グラフィックスを選択操作するための選択商品グラフィックス選択部と、
前記選択商品グラフィックス選択部で選択された選択商品グラフィックスにより表象される商品の商品識別情報に対応付けられて前記商品注文情報保持部で保持される商品の注文情報を表示する注文情報表示部と、
を有する請求項１または２に記載の商品グラフィックス選択装置。
【請求項４】
前記選択商品グラフィックス表示部は、
前記第二領域にショッピングカート画像を表示するショッピングカート画像表示手段と、
前記第二領域に、ショッピングカート画像に関連して、所定の数の選択商品グラフィックスが表示されたか判断する選択商品表示数判断手段と、
前記選択商品表示数判断手段での判断結果が所定の数表示されたとの判断結果である場合には、すでに表示されているショッピングカート画像を変更するショッピングカート画像変更手段と、
を有し、前記変更は、すでに表示さているショッピングカート画像に加えて新たなショッピングカート画像をすでに表示されているショッピングカート画像の前面に表示する変更である請求項１または２に記載の商品グラフィックス選択装置。
【請求項５】
前記選択商品グラフィックス表示部により表示される選択商品グラフィックスを選択操作するための第二選択商品グラフィックス選択部と、
前記第二選択商品グラフィックス選択部で選択された選択商品グラフィックスを削除する選択商品グラフィックス消去部と、
を有する請求項１から４のいずれか一に記載の商品グラフィックス選択装置。
【請求項６】
前記第二選択商品グラフィックス選択部により選択操作がされた選択商品グラフィックスが、前記第一領域へ向けて移動する様子を表現する戻状態グラフィックス表示部
を有する請求項５に記載の商品グラフィックス選択装置。
【請求項７】
選択対象となる商品を識別するための情報である商品識別情報に対応する商品を表象するグラフィックスである商品グラフィックスをディスプレイの第一領域に表示するための商品グラフィックス表示ステップと、
前記ディスプレイ上にて、商品グラフィックスを選択操作させることで対応する商品識別情報を特定するためのグラフィックス選択ステップと、
前記ディスプレイの第二領域に前記特定された商品識別情報で識別される商品を表象するためのグラフィックスである選択商品グラフィックスを表示するための選択商品グラフィックス表示ステップと、
前記商品グラフィックスの選択操作に応じて、前記第一領域から前記第二領域に商品グラフィックスが移動して選択商品グラフィックスとして表示される様子を表現する移動状態グラフィックスを表示する移動状態グラフィックス表示ステップと、
を計算機に実行させるための商品グラフィックス選択プログラム。
【発明の詳細な説明】
【技術分野】
【０００１】
本発明は、写真などとともに提示された商品を購入するためなどの選択を行なうのに適した商品グラフィックス選択装置に関する。
【背景技術】
【０００２】
インターネットの普及に伴い、消費者は自宅に居ながらにして、ウェブブラウザ上などで様々な商品の選択を行ない、注文を行なえるようになってきた。例えば、百貨店や各種専門店などの運営する商品購入のためのウェブページを、ウェブブラウザを用いて閲覧し、気に入った商品の表示をマウスなどによりクリックなどを行なうことにより、商品の購入のための選択を行ない、代金の決済の方法、配送先などを入力することにより、商品の注文を行なうことができる。
【０００３】
商品購入のためのウェブページの構成には種々のものがあり得る。例えば、商品の表示をマウスなどによりクリックなどにより選択を行なうと、商品の選択が行なわれたという情報がウェブサーバなどへ送信され、選択された商品がウェブサーバにより管理されるようにするウェブページの構成がある。このような構成では、例えば、商品の選択が行なわれたという情報がウェブサーバに送信されるたびに、ウェブサーバより現在選択された商品の名称や合計金額を含むウェブページが返信され、消費者は選択された商品の内容を知ることができる。また、ウェブブラウザ上でスクリプト言語などで記述されたプログラムが動作するようにしておき、選択された商品をそのようなプログラムにより管理されるようにするウェブページの構成がある。このような構成では、選択された商品の情報はプログラムによって管理され、選択された商品の表示や合計金額の表示がされる。
【０００４】
特に、現在では、ウェブブラウザのプラグインソフトとして動作し、音声やベクターグラフィックスのアニメーションを組み合わせてコンテンツを表示するプログラムが使用されることが多い（例えば、特許文献１、非特許文献１参照。）。ことに近年ブロードバンド化が進み、ウェブブラウザとウェブサーバとの間で大量のデータの高速通信が可能となったため、ウェブページとともにプログラムをダウンロードし、商品購入のためのウェブページを表示させながらそのプログラムを実行する場合が多くなってきた。
【特許文献１】特開２００４−１３３８６４号公報（例えば段落００１０）
【非特許文献１】大塚製薬株式会社、"Quick Order"、［ｏｎｌｉｎｅ］、2004年12月22日、［平成17年4月11日検索］、インターネット<ＵＲＬ：https://shop.otsuka-plus1.com/Flash/shopping/quickorder/check.html>
【発明の開示】
【発明が解決しようとする課題】
【０００５】
ウェブページととともにプログラムをダウンロードし、商品購入のためのウェブページを構成する場合には、多くの場合、選択された商品がショッピングカート（「買物カゴ」や「バスケット」と呼ばれる場合もある）上に表示される。すなわち、商品説明の「ショッピングカートへ」などと書かれた領域をクリックすることにより、画面上のショッピングカートの部分に商品の名称などが表示されるようになる。しかし、画面上のショッピングカートの部分に単に商品の名称などが追加されるだけであり、画面の変化が小さく、消費者が商品を選択したことに気が付かない場合があり得る。また、単に商品の名称などがショッピングカート上に追加されるだけなので、見ていても面白みがなく、消費者が商品を購入したくなる動機付けになっていない。
【０００６】
そこで、本発明は、ウェブブラウザ上などで商品が選択されたことを、消費者が知覚できるようにし、また、その知覚をすることに面白みが発生するような商品グラフィックス選択装置を提供することを目的とする。
【課題を解決するための手段】
【０００７】
かかる目的を達成するために、本発明では、商品を表象する商品グラフィックスをディスプレイの第一領域に表示する部と、選択操作がされた商品を表象する選択商品グラフィックスをディスプレイの第二領域に表示する部と、第一領域から第二領域へ商品グラフィックスが移動して選択商品グラフィックスとして表示される様子を表現する移動状態グラフィックスを表示する部と、を有する商品グラフィックス選択装置を提供する。このような商品グラフィックス選択装置により、商品グラフィックスの選択操作がされると、ディスプレイの第一領域から第二領域へ商品グラフィックスが移動する様子が表示され、ディスプレイの表示が変化し、消費者が商品を選択したことを明確に知覚することができ、また、その知覚をすることに面白みが発生する。
【０００８】
なお、複数の商品が選択された場合、第二領域に表示される選択商品グラフィックスを相互に完全に重なり合わないように表示するようにしてもよい。
【０００９】
また、選択商品グラフィックスを選択操作すると、その選択商品グラフィックスで表象される商品の注文個数などを示す注文情報が表示されるようになっていてもよい。
【００１０】
また、第二領域にショッピングカートの画像を表示しておき、所定の数の選択商品グラフィックスが表示されている場合に、さらに商品が選択操作されると、表示されているショッピングカートの画像とは別のショッピングカートの画像が前面に表示されるようになっていてもよい。
【００１１】
また、選択商品グラフィックスに対して削除の操作ができるようになっていてもよいし、削除の操作がされた場合には、第二領域から第一領域へ商品グラフィックスが戻る様子が表示されるようになっていてもよい。
【発明の効果】
【００１２】
本発明により、消費者が商品を選択したことを知覚することができ、不要な商品を気が付かないまま購入してしまうことを防止することができる。また、商品グラフィックスの移動が表示されることにより、面白みが発生し、消費者がさらに商品を購する動機付けとなる。
【発明を実施するための最良の形態】
【００１３】
以下、本発明について、図を用いて実施形態として説明する。なお、本発明は、これらの実施形態に何ら限定されるものではなく、その要旨を逸脱しない範囲において、種々なる態様で実施し得る。
【００１４】
（実施形態１）
実施形態１として、商品を表象する商品グラフィックスをディスプレイの第一領域に表示する部と、選択操作がされた商品を表象する選択商品グラフィックスをディスプレイの第二領域に表示する部と、第一領域から第二領域へ商品グラフィックスが移動して選択商品グラフィックスとして表示される様子を表現する移動状態グラフィックスを表示する部と、を有する商品グラフィックス選択装置について説明する。
【００１５】
図１は、実施形態１に係る商品グラフィックス選択装置の機能ブロック図を例示する。商品グラフィックス選択装置１００は、ディスプレイ１０１と、商品識別情報保存部１０２と、商品グラフィックス表示部１０３と、グラフィックス選択部１０４と、選択商品グラフィックス表示部１０５と、移動状態グラフィックス表示部１０６と、を有する。なお、本明細書において、機能ブロック図により表わされる構成は、ハードウェアとしては、任意の計算機のＣＰＵ、メモリ、その他のＬＳＩなどにより実現することができる。また、ソフトウェアとしては、メモリにロードされたプログラムなどにより実現することができる。また、ハードウェアとソフトウェアとの連携により実現することもできる。特にソフトウェアが用いられて実現される場合には、そのようなソフトウェアを構成するプログラムをフレキシブルディスクや光ディスクなどの媒体に記録することも可能である。
【００１６】
「ディスプレイ」１０１は、文字や図形、画像などを表示するための部である。例えば、ビットマップなどによる表示装置を駆動するためのデバイスドライバである。また、表示装置そのものと考えることもできる。なお、表示装置は、陰極線管、液晶、プラズマを用いて構成することができる。このほかにも、エレクトロルミネセンス、表面電界ディスプレイなどを用いて構成することができる。
【００１７】
図２は、本実施形態におけるディスプレイ１０１による表示を例示する。本実施形態では、ディスプレイによる表示２０１は、第一領域２０２と第二領域２０３とを含む。第一領域には、後に説明されるように、商品グラフィックスが表示される。「商品グラフィックス」とは、商品を表象するグラフィックスである。「グラフィックス」とは、画像、図形、文字のいずれかまたは両方を含んでディスプレイ１０１に表示される実体である。したがって、第一領域には、選択することで購入することができる商品の情報が表示されると考えることができる。なお、本発明では、選択の対象となる商品は、商品識別情報により識別されるのが好ましい。
【００１８】
第二領域には、選択商品グラフィックスが表示される。「選択商品グラフィックス」とは、商品グラフィックスを選択操作することで特定される商品を表象するためのグラフィックスである。なお、商品が商品識別情報により識別される場合には、商品グラフィックスを選択操作することで、商品識別情報が特定され、この特定に従って、商品が識別される。したがって、第二領域には、選択されることで購入することが予定された商品の情報が表示されると考えることができる。すなわち、従来の商品購入のためのウェブページの構成におけるショッピングカート、あるいは、買い物カゴ、バスケットに相当すると考えることもできる。
【００１９】
本実施形態では、商品グラフィックス２０４が選択されると、選択された商品グラフィックスが移動する様子を示す移動状態グラフィックス２０５が表示され、選択商品グラフィックス２０６が第二領域に表示される。「移動状態グラフィックス」とは、グラフィックスの一種であり、商品グラフィックスが移動して選択商品グラフィックスとして表示されるまでの状態を表示する。なお、移動状態グラフィックス２０５が表示された後に、選択商品グラフィックス２０６が第二領域に表示されるのが自然ではあるが、選択商品グラフィックス２０６が表示された後に移動状態グラフィックスが表示されてもよい。また、移動状態グラフィックスと商品グラフィックスとは同じであってもよいし異なっていてもよい。同様に、移動状態グラフィックスと選択商品グラフィックスとは同じであってもよいし異なっていてもよい。例えば、商品グラフィックスが商品の画像などである場合に、移動状態グラフィックスは、その商品が包装される過程を動的に表現し、選択商品グラフィックスはその商品が完全に包装された状態を表示する画像を含むものであってもよい。また、選択商品グラフィックス２０６の表示に伴い、商品グラフィックス２０４が消去されてもよいし、商品グラフィックス２０４が選択できないようになってもよい。また、商品グラフィックス２０４の選択が再度繰り返して行なえるようになっていてもよい。
【００２０】
「商品識別情報保存部」１０２は、商品識別情報を保存する。「商品識別情報」とは、選択対象となる商品を識別する情報である。商品グラフィックス選択装置の少なくとも内部では、商品は、商品識別情報で識別されるのが好ましい。なお、「商品」と記したが、商品には役務をも意味し、取引の対象となり得るものを意味する。また、「商品識別情報で識別される商品」を、「商品識別情報に対応する商品」という場合がある。
【００２１】
図３は、商品識別情報保存部１０２により、商品識別情報が保存されている状態を例示する。図３に例示するように、商品識別情報はテーブルに格納されている。また、商品識別情報で識別される商品の商品名や価格などの属性が、その商品識別情報が格納される行と同じ行に格納されることで、その商品識別情報と関連付けられていてもよい。
【００２２】
「商品グラフィックス表示部」１０３は、ディスプレイ１０１の第一領域に商品グラフィックスを表示する。「商品グラフィックス」とは、商品識別情報に対応する商品を表象するグラフィックスである。
【００２３】
図４は、商品グラフィックス表示部１０３が表示する商品グラフィックスを管理するためのテーブルを例示する。例えば、「Ｐ０１０３７」という商品識別情報に対応する商品を表象する商品グラフィックスがディスプレイ１０１上におけるＸ座標が１５０、Ｙ座標が２５０で、高さが２５、幅５０の領域に表示されていることが表わされる。このようなテーブルにより、クリックなどがされたときにおけるディスプレイ１０１上のマウスカーソルの位置から、どの商品に対して選択操作がされたかを知ることができる。
【００２４】
「グラフィックス選択部」１０４は、ディスプレイ１０１上にて、商品グラフィックスを選択操作させることで対応する商品識別情報を特定するための部である。例えば、マウスカーソルの移動に伴い、マウスカーソルの位置を検出し、また、クリックなどの操作が行なわれたかどうかの検出を行ない、図４に例示されたテーブルを参照することで、選択操作がされた商品識別情報を特定する。
【００２５】
「選択商品グラフィックス表示部」１０５は、選択商品グラフィックスをディスプレイ１０１の第二領域に表示する。「選択商品グラフィックス」とは、グラフィックス選択部１０４を用いて特定された商品識別情報で識別される商品を表象するためのグラフィックスである。
【００２６】
図５は、選択商品グラフィックス表示部１０５が表示する選択商品グラフィックスを管理するためのテーブルを例示する。例えば、「Ｐ０１０４８」という商品識別情報に対応する商品を表象する選択商品グラフィックスがディスプレイ１０１上におけるＸ座標が７７５、Ｙ座標が６００で、高さが１８、幅が４０の領域に表示されていることが表わされる。なお、図４と図５とにおいては、商品グラフィックスと選択商品グラフィックスとが異なるので、商品識別情報Ｐ０１０４８に関連付けられる高さと幅の値が異なっている。
【００２７】
「移動状態グラフィックス表示部」１０６は、移動状態グラフィックスを表示する。「移動状態グラフィックス」とは、商品グラフィックスの選択操作に応じて、第一領域から第二領域に商品グラフィックスが移動して選択商品グラフィックスとして表示される様子を表現するグラフィックスである。多くの場合、移動状態グラフィックスは、動く画像として表示される。「商品グラフィックスの選択操作に応じて」とは、商品グラフィックスの選択をトリガーとすることを意味する。すなわち、商品グラフィックスの選択操作が行なわれると、その選択操作の対象となった商品グラフィックスの移動が開始するような表示が行なわれる。
【００２８】
図６、図７は、実施形態１に係る商品グラフィックス選択装置の処理の流れを説明するフローチャートを例示する。図６は、第一領域に商品グラフィックスを表示して選択操作が可能となるまでの処理を示す。ステップＳ６０１において、その商品に関してステップＳ６０２からステップＳ６０４がまだ実行されていないために、その商品グラフィックスの表示がされていない商品に対応する商品識別情報が残っているかどうかを判断する。もし、残っていなければ全ての商品の商品グラフィックスが第一領域に表示されたので、処理を終了し、そうでなければ、ステップＳ６０２からステップＳ６０４までを順に実行する。ステップＳ６０２において、残っている商品識別情報を一つ取得する。ステップＳ６０３において、ステップＳ６０２で取得された商品識別情報に対応する商品を表象するグラフィックス（すなわち、商品グラフィックス）の表示位置を決める。例えば、図４に例示されたテーブルに格納されている座標の情報を参照して、新たに表示するべき商品グラフィックスの表示位置を決定してテーブルに格納する。ステップＳ６０４において、ステップＳ６０３で決められた表示位置に商品グラフィックスを表示し、ステップＳ６０１へ戻る。
【００２９】
図７は、商品グラフィックスの選択から、選択商品グラフィックスの表示までの処理を示す。ステップＳ７０１において、商品グラフィックスの選択操作がされるまで待つ。例えば、マウスカーソルが商品グラフィックスの表示されている位置にある状態でマウスボタンが押下されるまで待つ。ステップＳ７０２において、選択商品グラフィックスの表示位置を決定する。例えば、選択商品グラフィックスがまだ表示されていなければ、第二領域の左下の位置とする。また、既に選択商品グラフィックスが表示されていれば、前回の処理で表示された選択商品グラフィックスと隣り合う位置とする。ステップＳ７０３において、商品グラフィックスの表示位置から選択商品グラフィックスの表示位置までの軌跡を決定する。この軌跡は、移動状態グラフィックスが移動する軌跡を表わす。軌跡は、直線でもよいし、曲線であってもよい。例えば、商品グラフィックスの中心の位置と選択商品グラフィックスの中心の位置を通る放物線であってもよい。ステップＳ７０４において、決定された軌跡に沿って移動状態グラフィックスを移動させて表示する。なお、移動状態グラフィックスの移動は等速度であってもよいし、速度が変化するものであってもよい。例えば、曲率が大きいほど、移動状態グラフィックスがゆっくり進むようになっていてもよい。ステップＳ７０５において、選択商品グラフィックスを表示する。なお、移動状態グラフィックスの表示に伴い、商品グラフィックスを消去したり、選択操作ができないようにしたりしてもよい。また、ステップＳ７０３で軌跡を決定するとともに、移動状態グラフィックスをどのように変化させるかを決定してもよい。例えば、選択された商品グラフィックスに対応する商品に応じて、変化が決まるようになっていてもよい。例えば、所定の大きさまでの商品は包装紙で包まれるように見える変化がおき、所定の大きさを越える商品は、手提げ袋に入れられるように見える変化がおきるようにする。
【００３０】
なお、ステップＳ７０１を実行する前に、商品の購入数量が入力されてもよい。また、選択商品グラフィックスが表示されてから、選択商品グラフィックスに対してマウスボタンの右クリックなどの操作を行なうことにより、商品の購入数量が入力されてもよい。
【００３１】
なお、図６、図７に示されたフローチャートの処理は、プログラムを記述することにより実行することができる。特に、マクロメディア（登録商標）社のＦｌａｓｈ（登録商標）などに基づいて記述することが可能であり、ウェブページの閲覧が行なわれるときに、そのウェブページと同時にダウンロードされてウェブブラウザのプラグインソフトにより実行することが可能である。
【００３２】
図８から図１０は、本実施形態に係る商品グラフィックス選択装置の表示の例を示す。図８は、商品グラフィックスが表示された状態を例示する。ディスプレイ８０１の左部分に商品を表象する商品グラフィックス８０２が表示される。商品グラフィックス８０２は商品の写真８０３を含んでいてもよく、さらに商品の説明文や、数量を指定するための領域が含まれていてもよい。また、ディスプレイ８０１の右部分にカートの画像が表示され、第二領域がこのあたりにあることが示される。
【００３３】
消費者が、例えば、商品グラフィックス８０２の「カートへ」をクリックすると、図９に例示されるように、商品グラフィックス９０２の位置より、移動状態グラフィックス９０３が移動を開始するような表示が行なわれる。その後、図１０に例示されるように、移動状態グラフィックス９０３は、カート１００２の上部へ移動し、選択商品グラフィックス１００３が表示されるようになる。なお、「消費者」とは、商品グラフィックス選択装置の操作を行なう者を意味する。
【００３４】
本実施形態おいては、移動状態グラフィックスが表示されることにより、消費者が商品を選択したことを明確に知覚することができ、不要な商品を気が付かないまま購入してしまうことを防止することができる。また、商品グラフィックスの移動が表示されることにより、面白みが発生し、消費者がさらに商品を購入する動機付けとなる。
【００３５】
（実施形態２）
実施形態２として、実施形態１の商品グラフィックス選択装置において、選択商品グラフィックスが重なりあわないようにした実施形態について説明する。
【００３６】
図１１は、実施形態２に係る商品グラフィックス選択装置の機能ブロック図を例示する。実施形態１に係る図１と比較すると、本実施形態では、実施形態１の構成に加えて、選択商品グラフィックス表示部１０５が非重複表示手段１１０１を有している。
【００３７】
「非重複表示手段」１１０１は、前記選択操作が複数の商品に対して実行される場合に、前記第二領域に表示される選択商品グラフィックスが、相互に完全に重なり合わないように表示する手段である。「前記選択操作」とは、グラフィックス選択部１０４による商品グラフィックスに対する選択操作を意味する。また、「前記選択操作が複数の商品に対して実行される場合」とは、すでに商品グラフィックスが一個以上選択操作され一個以上の選択商品グラフィックスが第二領域に表示されている状態で、さらに商品グラフィックスが選択操作される場合を意味する。
【００３８】
非重複表示手段１１０１は、例えば、図７に例示されたフローチャートのステップＳ７０２において選択商品グラフィックスの表示位置を決定する際に、既に選択商品グラフィックスが第二領域に表示されていれば、その選択商品グラフィックスと完全に重なり合わない表示位置を算出する。例えば、図５に例示されたテーブルを参照して、すでに表示されている選択商品グラフィックスと重なり合わない位置を計算して選択商品グラフィックスを表示する。
【００３９】
図１２は、ディスプレイ１０１による本実施形態における表示例を示す。例えば、すでに商品グラフィックス８０２が選択操作された結果、選択商品グラフィックス１００３が表示されているとして、さらに商品グラフィックス１２０２が選択された場合、選択商品グラフィックス１２０３が第二領域に表示される場合には、選択商品グラフィックス１００３と選択商品グラフィックス１２０３とが完全に重なり合わないように、非重複表示手段１１０１により表示される。
【００４０】
本実施形態においては、選択商品グラフィックスが完全に重なり合わないように表示されるので、消費者などの利用者にとって、いくつの商品を選択したかを分かりやすく表示することができるなどの効果がある。
【００４１】
（実施形態３）
実施形態３として、選択商品グラフィックスと、その選択商品グラフィックスにより表象される商品の注文情報と、を対応付けて保持する商品グラフィックス選択装置について説明する。
【００４２】
図１３は、本実施形態に係る商品グラフィックス選択装置の機能ブロック図を例示する。実施形態１に係る図１または実施形態２に係る図１１と比較すると、本実施形態に係る商品グラフィックス選択装置は、実施形態１または実施形態２に係る商品グラフィックス選択装置が、さらに商品注文情報保持部１３０１と、選択商品グラフィックス選択部１３０２と、注文情報表示部１３０３と、を有した構成となっている。
【００４３】
「商品注文情報保持部」１３０１は、グラフィックス選択部１０４における選択操作により特定された商品識別情報に対応付けて商品の注文情報を保持する。「商品の注文情報」とは、その商品が注文された数、その商品の配送先、その商品の代金の支払方法など、商品の注文に関する情報である。
【００４４】
図１４は、商品注文情報保持部１３０１が商品の注文情報を保持するためのテーブルを例示する。商品識別情報という名前の列には、グラフィックス選択部１０４における選択操作により特定された商品識別情報が格納され、注文数量という名前の列には、商品識別情報で識別される商品が注文された数が格納される。
【００４５】
「選択商品グラフィックス選択部」１３０２は、選択商品グラフィックス表示部１０５により表示される選択商品グラフィックスを選択操作するための部である。例えば、第二領域にマウスカーソルが表示されている状態で、マウスの右ボタンなどが押下された場合に、図５に例示されたテーブルを参照して、どの選択商品グラフィックスの上にマウスカーソルが表示されていたかを判断して、その選択商品グラフィックスにより表象される商品の商品識別情報を取得する。
【００４６】
「注文情報表示部」１３０３は、選択商品グラフィックス選択部１３０２で選択された選択商品グラフィックスにより表象される商品の商品識別情報に対応付けられて商品注文情報保持部１３０１で保持される商品の注文情報を表示する。例えば、選択商品グラフィックス選択部１３０２により、Ｐ０１０４８という商品識別情報で識別される商品を表象する選択商品グラフィックスが選択された場合には、注文情報表示部１３０３は、図１４に例示されるテーブルを参照して、注文数量が２である旨の表示をディスプレイ１０１などに対して行なう。
【００４７】
図１５は、本実施形態の処理の流れを説明するフローチャートを例示する。ステップＳ１５０１において、選択商品グラフィックスの選択操作がされるまで待つ。選択商品グラフィックスの選択操作がされると、ステップＳ１５０２へ処理を移行させ、選択操作がされた選択商品グラフィックスにより表象される商品の商品識別情報に対応付けられて保持されている注文情報を読み出す。例えば、Ｐ０１０４８という商品識別情報に対しては、図１４のテーブルより、注文数量が２であることが読み出される。ステップＳ１５０３において、ステップＳ１５０２で読み出された注文情報を表示する。
【００４８】
本実施形態においては、注文情報が表示されるので、消費者は、商品をいくつ注文したかを知ることができるので、利便性が発生する。
【００４９】
（実施形態４）
実施形態４として、第二領域における表示が、選択商品グラフィックスがショッピングカートに載せられたものであり、ショッピングカートに所定の数の選択商品グラフィックスが載せられて表示されている状態で、さらに選択商品グラフィックスが表示される場合には、あらたなショッピングカートが前面に表示される形態について説明する。
【００５０】
図１６は、実施形態４に係る商品グラフィックス選択装置の機能ブロック図を例示する。実施形態１に係る図１または実施形態２に係る図１１と比較すると、本実施形態に係る商品グラフィックス選択装置は、実施形態１または実施形態２に係る商品グラフィックス選択装置の選択商品グラフィックス表示部１０５が、ショッピングカート画像表示手段１６０１と、選択商品表示数判断手段１６０２と、ショッピングカート画像変更手段１６０３と、を有する構成となっている。
【００５１】
「ショッピングカート画像表示手段」１６０１は、第二領域にショッピングカート画像を表示する。なお、「ショッピングカート画像」と書いたが、車輪を有するカートの画像である必要はなく、実生活の買物において、購入する商品を運ぶためのかごなどの画像であってもよい。
【００５２】
「選択商品表示数判断手段」１６０２は、第二領域にショッピングカート画像表示手段により表示されたショッピングカート画像に関連して、所定の数の選択商品グラフィックスが表示されたかを判断する手段である。「ショッピングカート画像に関連して」とは、選択商品グラフィックスがそのショッピングカート画像に載せられているような表示が行なわれていることを意味する。例えば、ディスプレイ上において、ショッピングカート画像の上方に選択商品グラフィックスが表示されていることを意味する。
【００５３】
例えば、図５のテーブルにさらにショッピングカート画像を識別する識別情報を格納する列を追加しておき、また、選択商品グラフィックスを関連して表示するためのショッピングカート画像の識別情報を保持する変数を用意しておき、その変数に保持される識別情報が図５のテーブルの何行に格納されているかを計数することにより、選択商品表示数判断手段１６０２による判断を行なうことができる。
【００５４】
「ショッピングカート画像変更手段」１６０３は、選択商品表示数判断手段１６０３での判断結果が所定の数表示されたとの判断結果である場合には、すでに表示されているシッピングカート画像を変更する。ショッピングカート画像変更手段１６０３による変更は、すでに表示されているショッピングカート画像に加えて新たなショッピングカート画像をすでに表示されているショッピングカート画像の前面に表示する変更である。例えば、ディスプレイ１０１による表示がいくつかのレイヤに分けて表示を行なう場合には、すでに表示されたショッピングカート画像を下位のレイヤに移動させ、新たなシッピングカートを上位のレイヤに表示する。あるいは、すでに表示されているショッピングカートを小さく表示するようにしてもよい。なお、すでに表示されているショッピングカート画像に関連して表示されている選択商品グラフィックスも、下位のレイヤに移動させたり、小さく表示したりするようになっていてもよい。また、選択商品グラフィックスが重なり合わないようにするために、下位のレイヤに移動されるなどするショッピングカート画像の表示位置が移動してもよい。
【００５５】
図１７は、ディスプレイ１０１による本実施形態における表示例を示す。例えば、ショッピングカート画像に関連して３個の選択商品グラフィックスが表示されているとして、所定の数が３である場合、さらに選択商品グラフィックスが表示される場合には、ショッピングカート画像１００２が小さく表示されるなどして、新たなショッピングカート画像１７０５が前面に表示され、それに関連して選択商品グラフィックス１７０６が表示される。
【００５６】
図１８は、本実施形態の処理の流れを例示するフローチャートである。このフローチャートは、グラフィックス選択部１０３で商品グラフィックスが選択され、新たな選択商品グラフィックスが表示される時の処理の流れを説明する。ステップＳ１８０１において、所定の数の選択商品グラフィックスがショッピングカート画像と関連して表示されたかどうかを判断する。もし、判断結果がＹＥＳであれば、ステップＳ１８０２へ処理を移行させ、新たなショッピングカート画像をすでに表示されているショッピングカート画像の前面に表示する。「前面に表示」と書いたが、前面であるかどうかは相対的な概念であるので、すでに表示されているショッピングカート画像を背面に表示する。そのとき、大きさを小さくしたり明度を落としたりなどして表示するようにしてもよい。
【００５７】
本実施形態においては、所定の数の選択商品グラフィックスが関連して表示されているショッピングカート画像が相対的に背面に表示されるので、消費者は、表示が変更される点に興味を持ち、より多くの商品を選択するなどの効果がある。
【００５８】
（実施形態５）
実施形態５として、注文などの取消が可能である形態について説明する。
【００５９】
図１９は、実施形態５に係る商品グラフィックス選択装置の機能ブロック図を例示する。実施形態１から４に係る機能ブロック図である図１、１１、１３、１６と比較すると、本実施形態に係る商品グラフィックス選択装置は、実施形態１から４のいずれかに係る商品グラフィックス選択装置が、さらに第二選択商品グラフィックス選択部１９０１と、選択商品グラフィックス消去部１９０２と、を有する構成となっている。
【００６０】
「第二選択商品グラフィックス選択部」１９０１は、選択商品グラフィックス表示部により表示される選択商品グラフィックスを選択操作するための部である。例えば、第二領域にマウスカーソルが表示されている状態で、マウスの右ボタンなどが押下された場合に、図５に例示されたテーブルを参照して、どの選択商品グラフィックスの上にマウスカーソルが表示されていたかを判断して、その選択商品グラフィックスにより表象される商品の商品識別情報を取得する。
【００６１】
「選択商品グラフィックス消去部」１９０２は、第二選択商品グラフィックス選択部で選択操作された選択商品グラフィックスを削除する。すなわち、選択操作された選択商品グラフィックスの表示を消去する。この消去に伴って、例えば、選択操作された選択商品グラフィックスの上方に表示されている選択商品グラフィックスを下方に移動することが行なわれてもよい。また、背面にショッピングカート画像が表示されている状態で、その前面に表示されているショッピングカート画像に関連して表示されている選択商品グラフィックスが無くなれば、前面に表示されているショッピングカート画像の表示を消去して、背面のショッピングカート画像を前面に表示されるようにしてもよい。また、削除される選択商品グラフィックスによる表象される商品の注文情報を削除してもよい。
【００６２】
図２０は、本実施形態において、第二選択商品グラフィックス選択部１９０１により選択が行なわれたときの処理の流れを説明するフローチャートを例示する。ステップＳ２００１において、第二選択商品グラフィックス選択部１９０１により、選択商品グラフィックスが選択操作されるまで待つ。選択操作がされれば、ステップＳ２００２に処理を移行させ、選択操作された選択商品グラフィックスを削除する。
【００６３】
本実施形態においては、選択商品グラフィックスが削除できるので、消費者などの利用者は、安心して商品グラフィックスの選択操作を行なうことができるなどの効果がある。
【００６４】
（実施形態６）
実施形態６として、選択商品グラフィックスが消去されるときに、その選択商品グラフィックスが第一領域へ向けて移動するような表示が行なわれる形態について説明する。
【００６５】
図２１は、本実施形態に係る商品グラフィックス選択装置の機能ブロック図を例示する。実施形態５に係る機能ブロック図と比較すると、本実施形態に係る商品グラフィックス選択装置は、さらに戻状態グラフィックス表示部を有する。
【００６６】
「戻状態グラフィックス表示部」２１０１は、第二選択商品グラフィックス選択部１９０１により選択操作がされた選択商品グラフィックスが、第一領域へ向けて移動する様子を表現する部である。例えば、選択商品グラフィックスの表示位置から、商品グラフィックスであって、その商品グラフィックスが選択されることでその選択商品グラフィックスが表示されることとなった商品グラフィックスの表示位置までの軌跡を求めて、その軌跡に沿って選択商品グラフィックスを移動させる。また、移動させられている選択商品グラフィックスは変化してもよい。例えば、選択商品グラフィックスが商品グラフィックスにより表象される商品が包装された状態であることを示している場合には、包装されている状態から包装されていない状態へ変化するような表示がされてもよい。
【００６７】
本実施形態では、注文などの取消がされたことを、選択商品グラフィックスが第一領域へ向けて移動することで示すので、利用者などの消費者は、注文などの取消を行なったことを確認することができる。
【産業上の利用可能性】
【００６８】
本発明によれば、消費者が商品を選択したことを知覚することができ、不要な商品を気が付かないまま購入してしまうことを防止することができるなどの効果があり、本発明は産業上有用である。
【図面の簡単な説明】
【００６９】
【図１】実施形態１に係る商品グラフィックス選択装置の機能ブロック図
【図２】ディスプレイによる表示の一例図
【図３】商品識別情報が保存されている状態の一例図
【図４】商品グラフィックスを管理するためのテーブルの一例図
【図５】選択商品グラフィックスを管理するためのテーブルの一例図
【図６】商品グラフィックス選択装置の処理の流れを説明するフローチャート
【図７】商品グラフィックス選択装置の処理の流れを説明するフローチャート
【図８】商品グラフィックス選択装置の表示の一例図
【図９】商品グラフィックス選択装置の表示の一例図
【図１０】商品グラフィックス選択装置の表示の一例図
【図１１】実施形態２に係る商品グラフィックス選択装置の機能ブロック図
【図１２】ディスプレイによる表示の一例図
【図１３】実施形態３に係る商品グラフィックス選択装置の機能ブロック図
【図１４】商品の注文情報を保持するためのテーブルの一例図
【図１５】実施形態３に係る処理の流れを説明するフローチャート
【図１６】実施形態４に係る商品グラフィックス選択装置の機能ブロック図
【図１７】ディスプレイによる表示の一例図
【図１８】実施形態４に係る処理の流れを説明するフローチャート
【図１９】実施形態５に係る商品グラフィックス選択装置の機能ブロック図
【図２０】実施形態５に係る処理の流れを説明するフローチャート
【図２１】実施形態６に係る商品グラフィックス選択装置の機能ブロック図
【符号の説明】
【００７０】
２０１  ディスプレイ
２０２  第一領域
２０３  第二領域
２０４  商品グラフィックス
２０５  移動状態グラフィックス
２０６  選択商品グラフィックス
【図１】
2006302152.tif 000003
【図２】
2006302152.tif 000004
【図３】
2006302152.tif 000005
【図４】
2006302152.tif 000006
【図５】
2006302152.tif 000007
【図６】
2006302152.tif 000008
【図７】
2006302152.tif 000009
【図８】
2006302152.tif 000010
【図９】
2006302152.tif 000011
【図１０】
2006302152.tif 000012
【図１１】
2006302152.tif 000013
【図１２】
2006302152.tif 000014
【図１３】
2006302152.tif 000015
【図１４】
2006302152.tif 000016
【図１５】
2006302152.tif 000017
【図１６】
2006302152.tif 000018
【図１７】
2006302152.tif 000019
【図１８】
2006302152.tif 000020
【図１９】
2006302152.tif 000021
【図２０】
2006302152.tif 000022
【図２１】
2006302152.tif 000023